【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
通信の方法であって、
第１の近距離無線通信（ＮＦＣ）デバイスによって使用される第１の無線アクセス技術（ＲＡＴ）の信号強度値を監視すること、ここにおいて、前記第１のＲＡＴは、前記第１のＮＦＣデバイスによって使用されるＮＦＣ無線周波数（ＲＦ）技術とは異なる、と、
前記ＮＦＣデバイスによって前記第１のＲＡＴの前記監視された信号強度値の増大を決定することと、
前記第１のＲＡＴの前記監視された信号強度値と、前記第１のＲＡＴの前記監視された信号強度値の前記増大とに少なくとも基づいて、第２のＮＦＣデバイスが前記第１のＮＦＣデバイスのしきい値距離内にある可能性が増大したと決定すること、ここにおいて、前記しきい値距離は、前記第１のＮＦＣデバイスによって使用される前記ＮＦＣ ＲＦ技術のカバレッジエリアに基づく、と、
前記第２のＮＦＣデバイスが前記第１のＮＦＣデバイスの前記しきい値距離内にある前記可能性が増大したという前記決定に基づいて、ＮＦＣ ＲＦ発見ループにおけるポーリングモード間の少なくとも１つのインターバルを修正することと、
を備える方法。
【請求項２】
前記監視することは、
第１の時間と、前記第１の時間の後の第２の時間とにおいて、前記第１のＲＡＴの前記信号強度値を監視することと、
前記第１の時間および前記第２の時間における前記第１のＲＡＴの前記信号強度値に基づいて前記監視された信号強度値の前記増大を決定することと
をさらに備える、請求項１に記載の方法。
【請求項３】
前記第２のＮＦＣデバイスが前記第１のＮＦＣデバイスの前記しきい値距離内にある前記可能性が増大したと前記決定することは、前記第２の時間において監視された前記第１のＲＡＴの前記信号強度値が、電力しきい値を超えていることを決定することをさらに備える、請求項２に記載の方法。
【請求項４】
前記監視された信号強度値が、しきい値レートよりも大きいレートで増大していると決定することをさらに備え、
前記第２のＮＦＣデバイスが前記第１のＮＦＣデバイスの前記しきい値距離内にある前記可能性が増大したと前記決定することは、前記監視された信号強度値が前記しきい値レートよりも大きい前記レートで増大しているという前記決定にさらに基づく、
請求項１に記載の方法。
【請求項５】
前記修正することは、各ＮＦＣ ＲＦ技術についてのポーリングの発生を修正することをさらに備える、請求項１に記載の方法。
【請求項６】
前記修正することは、前記監視された信号強度値に基づいて、ポーリングモード間の前記インターバルを減少させることをさらに備える、
請求項１に記載の方法。
【請求項７】
前記監視された信号強度値における変化を決定することをさらに備え、
前記修正することは、前記決定された変化に対して比例して、ポーリングモード間の前記インターバルを減少させることをさらに備える、
請求項６に記載の方法。
【請求項８】
前記修正することは、前記第１のＮＦＣデバイスについての電力消費効率を改善するように、ポーリングモード間の前記インターバルを修正することをさらに備える、請求項１に記載の方法。
【請求項９】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項１に記載の方法。
【請求項１０】
前記第２のＮＦＣデバイスは、ピアＮＦＣデバイスと、リーダデバイスと、ライタデバイスと、タグと、カードと、から成るグループのうちの１つである、請求項１に記載の方法。
【請求項１１】
前記第１のＲＡＴは、パーソナルエリアネットワーク（ＰＡＮ）およびローカルエリアネットワーク（ＬＡＮ）のうちの少なくとも１つをサポートする、請求項１に記載の方法。
【請求項１２】
非一時的なコンピュータ可読媒体であって、
第１の近距離無線通信（ＮＦＣ）デバイスによって使用される第１の無線アクセス技術（ＲＡＴ）の信号強度値を監視するためのコード、ここにおいて、前記第１のＲＡＴは、前記第１のＮＦＣデバイスによって使用されるＮＦＣ無線周波数（ＲＦ）技術とは異なる、と、
前記ＮＦＣデバイスによって前記第１のＲＡＴの前記監視された信号強度値の増大を決定するためのコードと、
前記第１のＲＡＴの前記監視された信号強度値と、前記第１のＲＡＴの前記監視された信号強度値の前記増大とに少なくとも基づいて、第２のＮＦＣデバイスが前記第１のＮＦＣデバイスのしきい値距離内にある可能性が増大したと決定するためのコード、ここにおいて、前記しきい値距離は、前記第１のＮＦＣデバイスによって使用される前記ＮＦＣ ＲＦ技術のカバレッジエリアに基づく、と、
前記第２のＮＦＣデバイスが前記第１のＮＦＣデバイスの前記しきい値距離内にある前記可能性が増大したという前記決定に基づいて、ＮＦＣ ＲＦ発見ループにおけるポーリングモード間の少なくとも１つのインターバルを修正するためのコードと、
を備える、非一時的なコンピュータ可読媒体。
【請求項１３】
第１の時間と、前記第１の時間の後の第２の時間とにおいて、前記第１のＲＡＴの前記信号強度値を監視するためのコードと、
前記第１の時間および前記第２の時間における前記第１のＲＡＴの前記信号強度値に基づいて前記監視された信号強度値の前記増大を決定するためのコードと、
をさらに備える、請求項１２に記載の非一時的なコンピュータ可読媒体。
【請求項１４】
前記第２のＮＦＣデバイスが前記第１のＮＦＣデバイスの前記しきい値距離内にある前記可能性が増大したと前記決定することは、前記第２の時間において監視された前記第１のＲＡＴの前記信号強度値が、電力しきい値を超えていることを決定することをさらに備える、請求項１３に記載の非一時的なコンピュータ可読媒体。
【請求項１５】
前記監視された信号強度値が、しきい値レートよりも大きいレートで増大していると決定するためのコードをさらに備え、
前記第２のＮＦＣデバイスが前記第１のＮＦＣデバイスの前記しきい値距離内にある前記可能性が増大したと前記決定することは、前記監視された信号強度値が前記しきい値レートよりも大きい前記レートで増大しているという前記決定にさらに基づく、
請求項１２に記載の非一時的なコンピュータ可読媒体。
【請求項１６】
各ＮＦＣ ＲＦ技術についてのポーリングの発生を修正するためのコードをさらに備える、請求項１２に記載の非一時的なコンピュータ可読媒体。
【請求項１７】
前記非一時的なコンピュータ可読媒体は、
前記監視された信号強度値に基づいて、ポーリングモード間の前記インターバルを減少させるためのコード
をさらに備える、請求項１２に記載の非一時的なコンピュータ可読媒体。
【請求項１８】
前記監視された信号強度値における変化を決定するためのコードと、
前記決定された変化に対して比例して、ポーリングモード間の前記インターバルを減少させるためのコードと
をさらに備える、請求項１７に記載の非一時的なコンピュータ可読媒体。
【請求項１９】
前記第１のＮＦＣデバイスについての電力消費効率を改善するように、ポーリングモード間の前記インターバルを修正するためのコードをさらに備える、請求項１２に記載の非一時的なコンピュータ可読媒体。
【請求項２０】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項１２に記載の非一時的なコンピュータ可読媒体。
【請求項２１】
前記第２のＮＦＣデバイスは、ピアＮＦＣデバイスと、リーダデバイスと、ライタデバイスと、タグと、カードと、から成るグループのうちの１つである、請求項１２に記載の非一時的なコンピュータ可読媒体。
【請求項２２】
通信のための装置であって、
第１の近距離無線通信（ＮＦＣ）デバイスによって使用される第１の無線アクセス技術（ＲＡＴ）の信号強度値を監視するための手段、ここにおいて、前記第１のＲＡＴは、前記第１のＮＦＣデバイスによって使用されるＮＦＣ無線周波数（ＲＦ）技術とは異なる、と、
前記ＮＦＣデバイスによって前記第１のＲＡＴの前記監視された信号強度値の増大を決定するための手段と、
前記第１のＲＡＴの前記監視された信号強度値と、前記第１のＲＡＴの前記監視された信号強度値の前記増大とに少なくとも基づいて、第２のＮＦＣデバイスが前記第１のＮＦＣデバイスのしきい値距離内にある可能性が増大したと決定するための手段、ここにおいて、前記しきい値距離は、前記第１のＮＦＣデバイスによって使用される前記ＮＦＣ ＲＦ技術のカバレッジエリアに基づく、と、
前記第２のＮＦＣデバイスが前記第１のＮＦＣデバイスの前記しきい値距離内にある前記可能性が増大したという前記決定に基づいて、ＮＦＣ ＲＦ発見ループにおけるポーリングモード間の少なくとも１つのインターバルを修正するための手段と、
を備える装置。
【請求項２３】
前記監視するための手段は、第１の時間と、前記第１の時間の後の第２の時間とにおいて、前記第１のＲＡＴの前記信号強度値を監視するための手段をさらに備え、
前記監視された信号強度値の前記増大を前記決定するための手段は、前記第１の時間および前記第２の時間における前記第１のＲＡＴの前記信号強度値に基づいて前記監視された信号強度値の前記増大を決定するための手段を備える、
請求項２２に記載の装置。
【請求項２４】
前記第２のＮＦＣデバイスが前記しきい値距離内にある前記可能性が増大したと前記決定するための手段は、前記第２の時間において監視された前記第１のＲＡＴの前記信号強度値が、電力しきい値を超えていることを決定するための手段をさらに備える、請求項２３に記載の装置。
【請求項２５】
前記監視された信号強度値が、しきい値レートよりも大きいレートで増大していると決定するための手段をさらに備え、
前記第２のＮＦＣデバイスが前記第１のＮＦＣデバイスの前記しきい値距離内にある前記可能性が増大したと前記決定するための手段は、前記監視された信号強度値が前記しきい値レートよりも大きい前記レートで増大しているという前記決定に基づいて、前記第２のＮＦＣデバイスが前記第１のＮＦＣデバイスの前記しきい値距離内にある前記可能性が増大したと決定するための手段をさらに備える、
請求項２２に記載の装置。
【請求項２６】
前記修正するための手段は、各ＮＦＣ ＲＦ技術についてのポーリングの発生を修正するための手段をさらに備える、請求項２２に記載の装置。
【請求項２７】
前記修正するための手段は、前記監視された信号強度値に基づいて、ポーリングモード間の前記インターバルを減少させるための手段をさらに備える、
請求項２２に記載の装置。
【請求項２８】
前記監視された信号強度値における変化を決定するための手段をさらに備え、
前記修正するための手段は、前記決定された変化に対して比例して、ポーリングモード間の前記インターバルを減少させるための手段をさらに備える、
請求項２７に記載の装置。
【請求項２９】
前記修正するための手段は、前記第１のＮＦＣデバイスについての電力消費効率を改善するように、ポーリングモード間の前記インターバルを修正するための手段をさらに備える、請求項２２に記載の装置。
【請求項３０】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項２２に記載の装置。
【請求項３１】
前記第２のＮＦＣデバイスは、ピアＮＦＣデバイスと、リーダデバイスと、ライタデバイスと、タグと、カードと、から成るグループのうちの１つである、請求項２２に記載の装置。
【請求項３２】
通信のためのＮＦＣデバイスであって、
メモリと、
前記メモリに結合されたプロセッサと、
前記メモリまたは前記プロセッサのうちの少なくとも１つに結合され、かつ、
第１の近距離無線通信（ＮＦＣ）デバイスによって使用される第１の無線アクセス技術（ＲＡＴ）の信号強度値を監視し、ここにおいて、前記第１のＲＡＴは、前記第１のＮＦＣデバイスによって使用されるＮＦＣ無線周波数（ＲＦ）技術とは異なる、
前記ＮＦＣデバイスによって前記第１のＲＡＴの前記監視された信号強度値の増大を決定し、
前記第１のＲＡＴの前記監視された信号強度値と、前記第１のＲＡＴの前記監視された信号強度値の前記増大とに少なくとも基づいて、第２のＮＦＣデバイスが前記第１のＮＦＣデバイスのしきい値距離内にある可能性が増大したと決定し、ここにおいて、前記しきい値距離は、前記第１のＮＦＣデバイスによって使用される前記ＮＦＣ ＲＦ技術のカバレッジエリアに基づく、
前記第２のＮＦＣデバイスが前記第１のＮＦＣデバイスの前記しきい値距離内にある前記可能性が増大したという前記決定に基づいて、ＮＦＣ ＲＦ発見ループにおけるポーリングモード間の少なくとも１つのインターバルを修正する
ように構成されたＲＦアクティビティモジュールと、
を備えるＮＦＣデバイス。
【請求項３３】
前記ＲＦアクティビティモジュールは、
第１の時間と、前記第１の時間の後の第２の時間とにおいて、前記第１のＲＡＴの前記信号強度値を監視するようにさらに構成され、
前記監視された信号強度値の前記増大を決定するように構成された前記ＲＦアクティビティモジュールは、前記第１の時間および前記第２の時間における前記第１のＲＡＴの前記信号強度値に基づいて前記監視された信号強度値の前記増大を決定するように構成された前記ＲＦアクティビティモジュールをさらに備える、請求項３２に記載のＮＦＣデバイス。
【請求項３４】
前記第２のＮＦＣデバイスが前記第１のＮＦＣデバイスの前記しきい値距離内にある前記可能性が増大したと決定するように構成された前記ＲＦアクティビティモジュールは、前記第２の時間において監視された前記第１のＲＡＴの前記信号強度値が、電力しきい値を超えていることを決定するように構成された前記ＲＦアクティビティモジュールをさらに備える、請求項３３に記載のＮＦＣデバイス。
【請求項３５】
前記ＲＦアクティビティモジュールは、
前記監視された信号強度値が、しきい値レートよりも大きいレートで増大していると決定し、
前記監視された信号強度値が前記しきい値レートよりも大きい前記レートで増大しているという前記決定に基づいて、前記第２のＮＦＣデバイスが前記第１のＮＦＣデバイスの前記しきい値距離内にある前記可能性が増大したと決定する、
ようにさらに構成される、請求項３２に記載のＮＦＣデバイス。
【請求項３６】
前記ＲＦアクティビティモジュールは、各ＮＦＣ ＲＦ技術についてのポーリングの発生を修正するようにさらに構成される、請求項３２に記載のＮＦＣデバイス。
【請求項３７】
前記ＲＦアクティビティモジュールは、
前記監視された信号強度値に基づいて、ポーリングモード間の前記インターバルを減少させる
ようにさらに構成される、請求項３２に記載のＮＦＣデバイス。
【請求項３８】
前記ＲＦアクティビティモジュールは、
前記監視された信号強度値における変化を決定し、
前記決定された変化に対して比例して、ポーリングモード間の前記インターバルを減少させる
ようにさらに構成される、請求項３７に記載のＮＦＣデバイス。
【請求項３９】
前記ＲＦアクティビティモジュールは、前記第１のＮＦＣデバイスについての電力消費効率を改善するように、ポーリングモード間の前記インターバルを修正するようにさらに構成される、請求項３２に記載のＮＦＣデバイス。
【請求項４０】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項３２に記載のＮＦＣデバイス。
【請求項４１】
前記第２のＮＦＣデバイスは、ピアＮＦＣデバイスと、リーダデバイスと、ライタデバイスと、タグと、カードと、から成るグループのうちの１つである、請求項３２に記載のＮＦＣデバイス。
【手続補正２】
【補正対象書類名】明細書
【補正対象項目名】００６４
【補正方法】変更
【補正の内容】
【００６４】
[0072]  上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
以下に本願発明の当初の特許請求の範囲に記載された発明を付記する。
［Ｃ１］
通信の方法であって、
第１の近距離無線通信（ＮＦＣ）デバイスによって使用される第１の無線アクセス技術（ＲＡＴ）の無線周波数（ＲＦ）アクティビティを監視することと、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定することと、
前記決定に基づいて、ＮＦＣ ＲＦ発見ループにおけるポーリングモード間の少なくとも１つのインターバルを修正することと
を備える方法。
［Ｃ２］
前記監視することは、第１の時間と、前記第１の時間の後の第２の時間とにおいて、前記第１のＲＡＴの信号強度値を監視することをさらに備え、
前記決定することは、前記第２の時間において監視された前記第１のＲＡＴの前記信号強度値が、前記第１の時間において監視された前記第１のＲＡＴの前記信号強度値よりも大きいことを決定することをさらに備える、
Ｃ１に記載の方法。
［Ｃ３］
前記決定することは、前記第２の時間において監視された前記第１のＲＡＴの前記信号強度値が、電力しきい値を超えていることを決定することをさらに備える、Ｃ２に記載の方法。
［Ｃ４］
前記監視することは、前記第２のＮＦＣデバイスの存在を示すパラメータを含む信号を検出することをさらに備え、
前記決定することは、前記信号における前記パラメータの前記存在に基づいて、前記第２のＮＦＣデバイスが前記しきい値範囲内にあることを決定することをさらに備える、
Ｃ１に記載の方法。
［Ｃ５］
前記修正することは、各ＮＦＣ ＲＦ技術についてのポーリングの発生を修正することをさらに備える、Ｃ１に記載の方法。
［Ｃ６］
前記監視することは、前記第１のＲＡＴの信号強度値を監視することをさらに備え、
前記修正することは、前記監視された信号強度に基づいて、ポーリングモード間の前記インターバルを減少させることをさらに備える、
Ｃ１に記載の方法。
［Ｃ７］
前記監視することは、第１の時間と、前記第１の時間の後の第２の時間とにおいて、前記第１のＲＡＴの前記信号強度値を監視することをさらに備え、
前記修正することは、前記第１の時間と前記第２の時間の間の前記信号強度値における変化に対して比例して、ポーリングモード間の前記インターバルを減少させることをさらに備える、
Ｃ６に記載の方法。
［Ｃ８］
前記修正することは、前記第１のＮＦＣデバイスについての電力消費効率を改善するように、ポーリングモード間の前記インターバルを修正することをさらに備える、Ｃ１に記載の方法。
［Ｃ９］
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、Ｃ１に記載の方法。
［Ｃ１０］
前記第２のＮＦＣデバイスは、ピアＮＦＣデバイスと、リーダデバイスと、ライタデバイスと、タグと、カードと、から成るグループのうちの１つである、Ｃ１に記載の方法。
［Ｃ１１］
コンピュータプログラム製品であって、
第１の近距離無線通信（ＮＦＣ）デバイスによって使用される第１の無線アクセス技術（ＲＡＴ）の無線周波数（ＲＦ）アクティビティを監視するためのコードと、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定するためのコードと、
前記決定に基づいて、ＮＦＣ ＲＦ発見ループにおけるポーリングモード間の少なくとも１つのインターバルを修正するためのコードと
を備えるコンピュータ可読媒体、
を備えるコンピュータプログラム製品。
［Ｃ１２］
前記コンピュータ可読媒体は、
第１の時間と、前記第１の時間の後の第２の時間とにおいて、前記第１のＲＡＴの信号強度値を監視するためのコードと、
前記第２の時間において監視された前記第１のＲＡＴの前記信号強度値が、前記第１の時間において監視された前記第１のＲＡＴの前記信号強度値よりも大きいことを決定するためのコードと
をさらに備える、Ｃ１１に記載のコンピュータプログラム製品。
［Ｃ１３］
前記コンピュータ可読媒体は、前記第２の時間において監視された前記第１のＲＡＴの前記信号強度値が、電力しきい値を超えていることを決定するためのコードをさらに備える、Ｃ１２に記載のコンピュータプログラム製品。
［Ｃ１４］
前記コンピュータ可読媒体は、
前記第２のＮＦＣデバイスの存在を示すパラメータを含む信号を検出するためのコードと、
前記信号における前記パラメータの前記存在に基づいて、前記第２のＮＦＣデバイスが前記しきい値範囲内にあることを決定するためのコードと
をさらに備える、Ｃ１１に記載のコンピュータプログラム製品。
［Ｃ１５］
前記コンピュータ可読媒体は、各ＮＦＣ ＲＦ技術についてのポーリングの発生を修正するためのコードをさらに備える、Ｃ１１に記載のコンピュータプログラム製品。
［Ｃ１６］
前記コンピュータ可読媒体は、
前記第１のＲＡＴの信号強度値を監視するためのコードと、
前記監視された信号強度に基づいて、ポーリングモード間の前記インターバルを減少させるためのコードと
をさらに備える、Ｃ１１に記載のコンピュータプログラム製品。
［Ｃ１７］
前記コンピュータ可読媒体は、
第１の時間と、前記第１の時間の後の第２の時間とにおいて、前記第１のＲＡＴの前記信号強度値を監視するためのコードと、
前記第１の時間と前記第２の時間の間の前記信号強度値における変化に対して比例して、ポーリングモード間の前記インターバルを減少させるためのコードと
をさらに備える、Ｃ１６に記載のコンピュータプログラム製品。
［Ｃ１８］
前記コンピュータ可読媒体は、前記第１のＮＦＣデバイスについての電力消費効率を改善するように、ポーリングモード間の前記インターバルを修正するためのコードをさらに備える、Ｃ１１に記載のコンピュータプログラム製品。
［Ｃ１９］
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、Ｃ１１に記載のコンピュータプログラム製品。
［Ｃ２０］
前記第２のＮＦＣデバイスは、ピアＮＦＣデバイスと、リーダデバイスと、ライタデバイスと、タグと、カードと、から成るグループのうちの１つである、Ｃ１１に記載のコンピュータプログラム製品。
［Ｃ２１］
通信のための装置であって、
第１の近距離無線通信（ＮＦＣ）デバイスによって使用される第１の無線アクセス技術（ＲＡＴ）の無線周波数（ＲＦ）アクティビティを監視するための手段と、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定するための手段と、
前記決定に基づいて、ＮＦＣ ＲＦ発見ループにおけるポーリングモード間の少なくとも１つのインターバルを修正するための手段と
を備える装置。
［Ｃ２２］
前記監視するための手段は、第１の時間と、前記第１の時間の後の第２の時間とにおいて、前記第１のＲＡＴの信号強度値を監視するための手段をさらに備え、
前記決定するための手段は、前記第２の時間において監視された前記第１のＲＡＴの前記信号強度値が、前記第１の時間において監視された前記第１のＲＡＴの前記信号強度値よりも大きいことを決定するための手段をさらに備える、
Ｃ２１に記載の装置。
［Ｃ２３］
前記決定するための手段は、前記第２の時間において監視された前記第１のＲＡＴの前記信号強度値が、電力しきい値を超えていることを決定するための手段をさらに備える、Ｃ２２に記載の装置。
［Ｃ２４］
前記監視するための手段は、前記第２のＮＦＣデバイスの存在を示すパラメータを含む信号を検出するための手段をさらに備え、
前記決定するための手段は、前記信号における前記パラメータの前記存在に基づいて、前記第２のＮＦＣデバイスが前記しきい値範囲内にあることを決定するための手段をさらに備える、
Ｃ２１に記載の装置。
［Ｃ２５］
前記修正するための手段は、各ＮＦＣ ＲＦ技術についてのポーリングの発生を修正するための手段をさらに備える、Ｃ２１に記載の装置。
［Ｃ２６］
前記監視するための手段は、前記第１のＲＡＴの信号強度値を監視するための手段をさらに備え、
前記修正するための手段は、前記監視された信号強度に基づいて、ポーリングモード間の前記インターバルを減少させるための手段をさらに備える、
Ｃ２１に記載の装置。
［Ｃ２７］
前記監視するための手段は、第１の時間と、前記第１の時間の後の第２の時間とにおいて、前記第１のＲＡＴの前記信号強度値を監視するための手段をさらに備え、
前記修正するための手段は、前記第１の時間と前記第２の時間の間の前記信号強度値における変化に対して比例して、ポーリングモード間の前記インターバルを減少させるための手段をさらに備える、
Ｃ２６に記載の装置。
［Ｃ２８］
前記修正するための手段は、前記第１のＮＦＣデバイスについての電力消費効率を改善するように、ポーリングモード間の前記インターバルを修正するための手段をさらに備える、Ｃ２１に記載の装置。
［Ｃ２９］
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、Ｃ２１に記載の装置。
［Ｃ３０］
前記第２のＮＦＣデバイスは、ピアＮＦＣデバイスと、リーダデバイスと、ライタデバイスと、タグと、カードと、から成るグループのうちの１つである、Ｃ２１に記載の装置。
［Ｃ３１］
通信のためのＮＦＣデバイスであって、
メモリと、
前記メモリに結合されたプロセッサと、
前記メモリまたは前記プロセッサのうちの少なくとも１つに結合され、かつ、
第１の近距離無線通信（ＮＦＣ）デバイスによって使用される第１の無線アクセス技術（ＲＡＴ）の無線周波数（ＲＦ）アクティビティを監視し、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定し、
前記決定に基づいて、ＮＦＣ ＲＦ発見ループにおけるポーリングモード間の少なくとも１つのインターバルを修正する
ように構成されたＲＦアクティビティモジュールと
を備えるＮＦＣデバイス。
［Ｃ３２］
前記ＲＦアクティビティモジュールは、
第１の時間と、前記第１の時間の後の第２の時間とにおいて、前記第１のＲＡＴの信号強度値を監視し、
前記第２の時間において監視された前記第１のＲＡＴの前記信号強度値が、前記第１の時間において監視された前記第１のＲＡＴの前記信号強度値よりも大きいことを決定する
ようにさらに構成される、Ｃ３１に記載のＮＦＣデバイス。
［Ｃ３３］
前記ＲＦアクティビティモジュールは、前記第２の時間において監視された前記第１のＲＡＴの前記信号強度値が、電力しきい値を超えていることを決定するようにさらに構成される、Ｃ３２に記載のＮＦＣデバイス。
［Ｃ３４］
前記ＲＦアクティビティモジュールは、
前記第２のＮＦＣデバイスの存在を示すパラメータを含む信号を検出し、
前記信号における前記パラメータの前記存在に基づいて、前記第２のＮＦＣデバイスが前記しきい値範囲内にあることを決定する
ようにさらに構成される、Ｃ３１に記載のＮＦＣデバイス。
［Ｃ３５］
前記ＲＦアクティビティモジュールは、各ＮＦＣ ＲＦ技術についてのポーリングの発生を修正するようにさらに構成される、Ｃ３１に記載のＮＦＣデバイス。
［Ｃ３６］
前記ＲＦアクティビティモジュールは、
前記第１のＲＡＴの信号強度値を監視し、
前記監視された信号強度に基づいて、ポーリングモード間の前記インターバルを減少させる
ようにさらに構成される、Ｃ３１に記載のＮＦＣデバイス。
［Ｃ３７］
前記ＲＦアクティビティモジュールは、
第１の時間と、前記第１の時間の後の第２の時間とにおいて、前記第１のＲＡＴの前記信号強度値を監視し、
前記第１の時間と前記第２の時間の間の前記信号強度値における変化に対して比例して、ポーリングモード間の前記インターバルを減少させる
ようにさらに構成される、Ｃ３６に記載のＮＦＣデバイス。
［Ｃ３８］
前記ＲＦアクティビティモジュールは、前記第１のＮＦＣデバイスについての電力消費効率を改善するように、ポーリングモード間の前記インターバルを修正するようにさらに構成される、Ｃ３１に記載のＮＦＣデバイス。
［Ｃ３９］
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、Ｃ３１に記載のＮＦＣデバイス。
［Ｃ４０］
前記第２のＮＦＣデバイスは、ピアＮＦＣデバイスと、リーダデバイスと、ライタデバイスと、タグと、カードと、から成るグループのうちの１つである、Ｃ３１に記載のＮＦＣデバイス。